(57)【特許請求の範囲】
【請求項１】
複数の脚部を有し太陽電池パネルを設置場所から支持する太陽電池架台装置において、  前記脚部は、相互に締結具で締結される少なくとも３つの下部支持部材、中間部材、及び上部支持部材とに分割されて設けられ、
前記下部支持部材と前記中間部材のいずれか一方には、第１の面内において相互の角度を可変として締結されるように、回動中心となる第１の締結具が貫通する第１の締結穴と、該第１の締結穴を中心とする円弧方向に延び第２の締結具が貫通する第２の締結穴が形成され、他方には、前記第１の締結具及び前記第２の締結具が貫通する第３の締結穴及び第４の締結穴が形成され、
前記中間部材と前記上部支持部材のいずれか一方には、第１の面と直交する面内において相互の角度を可変として締結されるように、回動中心となる第３の締結具が貫通する第５の締結穴と、該第５の締結穴を中心とする円弧方向に延び第４の締結具が貫通する第６の締結穴が形成され、他方には、前記第３の締結具及び前記第４の締結具が貫通する第７の締結穴及び第８の締結穴が形成され、
前記第３の締結穴と前記第４の締結穴、及び前記第７の締結穴と前記第８の締結穴の少なくともいずれか１組は、高さ方向に延びる長穴とされている
ことを特徴とする太陽電池架台装置。
【請求項２】
前記脚部を３個以上有している
ことを特徴とする請求項１に記載の太陽電池架台装置。
【請求項３】
前記中間部材は、断面コ字形を成し、前記下部支持部材と前記上部支持部材とは、断面Ｌ字形を成している
ことを特徴とする請求項１または２に記載の太陽電池架台装置。
【請求項４】
前記締結具は、ボルト及びナットである
ことを特徴とする請求項１から３のいずれか１項に記載の太陽電池架台装置。
【発明の詳細な説明】
【技術分野】
【０００１】
この発明は、複数の脚部を有し太陽電池パネルを設置場所から支持する太陽電池架台装置に関し、特に架台の高さや傾きを調整可能な太陽電池架台装置に関するものである。
【背景技術】
【０００２】
太陽光発電に用いられる太陽電池パネルは、一般住宅などの建築物に複数枚が並べて設置される。太陽電池パネルは、複数枚の太陽電池パネルを囲む矩形枠状に形成した取付フレームと、この取付フレームを建築物から支持する脚部とを有する架台装置を用いて設置される。架台装置には低脚支柱および高脚支柱を含む複数本の脚部が設けられている。
【０００３】
太陽電池パネルは、効率よく受光するために適切な傾斜角度で取り付けられなければならない。そのため、所定の設置場所に設置する際、架台装置の高さや傾きを適切なものに調整する必要がある。この調整作業においては、従来、例えば角度調節や高さ調節をするための調整部材（スペーサ）を挟み込むことにより行われていた。
【０００４】
このような太陽電池パネルの架台装置は、一旦建築物に締め付け固定してしまうと傾斜角度を容易に変更することができない。また、設置場所の移設も容易でない。そのため、従来、取付フレームを支持する低，高脚支柱と床面との間に板状のレベル調整部材を介在させて固定するようすることが提案されている（例えば、特許文献１参照）。
【０００５】
また、従来、角度調節を容易とするために、取付フレームを支持する固定用金具として、設置面に接触する底板部及び該底板部から立設する直立部を有するＬ字状設置金具と、このＬ字状設置金具の直立部に締結部材される支持脚部と、この支持脚部に締結されて取付フレームを挟持固定する押え金具とを具備する架台装置が提案されている（例えば、特許文献２参照）。
【０００６】
【特許文献１】特開２０００−１０１１２３号公報
【特許文献２】特開２００６−２１０６１３号公報
【発明の開示】
【発明が解決しようとする課題】
【０００７】
近年、太陽光発電装置は大型化され、それを支持する架台装置も大型化している。このような架台装置においては、低脚支柱、高脚支柱に加えて中脚支柱なども有し、脚部の数は増えている。一方で、太陽光発電装置の需要の増加から、架台装置の設置場所も、単純な傾斜面に加えて、湾曲面、球面、不規則に波うつ面等、多種多様な変曲面になってきている。
【０００８】
上記のように、脚部の数は増加しているので、高さや角度の異なる調整部材（スペーサ）を挟み込むことにより調整作業を行うことは容易ではない。一方、上記特許文献１や特許文献２で提案されているような高さ可変の脚部であっては、複数の脚部を有する架台装置において、多種多様な変曲面に対応することは容易ではない。
【０００９】
本発明は、上記に鑑みてなされたものであって、複数の脚部を有する架台装置において、不規則な曲面の設置場所であっても、適切な傾斜角度となるように容易に調整することができる太陽電池架台装置を得ることを目的とする。
【課題を解決するための手段】
【００１０】
上述した課題を解決し、目的を達成するために、本発明の太陽電池架台装置は、複数の脚部を有し太陽電池パネルを設置場所から支持する太陽電池架台装置において、脚部は、相互に締結具で締結される少なくとも２つの下部支持部材と上部支持部材とに分割されて設けられ、下部支持部材と上部支持部材のいずれか一方には、相互の角度を可変として締結されるように、回動中心となる第１の締結具が貫通する第１の締結穴と、該第１の締結穴を中心とする円弧方向に延びて第２の締結具が貫通する第２の締結穴とが形成され、他方には、第１の締結具及び第２の締結具が貫通する第３の締結穴及び第４の締結穴が形成され、第３の締結穴及び第４の締結穴は、高さ方向に延びる長穴とされていることを特徴とする。
【００１１】
また、本発明の他の太陽電池架台装置は、複数の脚部を有し太陽電池パネルを設置場所から支持する太陽電池架台装置において、脚部は、相互に締結具で締結される少なくとも３つの下部支持部材、中間部材、及び上部支持部材とに分割されて設けられ、下部支持部材と中間部材のいずれか一方には、第１の面内において相互の角度を可変として締結されるように、回動中心となる第１の締結具が貫通する第１の締結穴と、該第１の締結穴を中心とする円弧方向に延び第２の締結具が貫通する第２の締結穴が形成され、他方には、第１の締結具及び第２の締結具が貫通する第３の締結穴及び第４の締結穴が形成され、中間部材と上部支持部材のいずれか一方には、第１の面と直交する面内において相互の角度を可変として締結されるように、回動中心となる第３の締結具が貫通する第５の締結穴と、該第５の締結穴を中心とする円弧方向に延び第４の締結具が貫通する第６の締結穴が形成され、他方には、第３の締結具及び第４の締結具が貫通する第７の締結穴及び第８の締結穴が形成され、第３の締結穴と第４の締結穴、及び第７の締結穴と第８の締結穴の少なくともいずれか１組は、高さ方向に延びる長穴とされていることを特徴とする。
【発明の効果】
【００１２】
この発明の太陽電池架台装置においては、脚部が角度と高さに関して可変とされているので、複数の脚部を有する架台装置において、不規則な曲面の設置場所であっても、太陽電池パネルの受光面が適切な傾斜角度となるように容易に調整することができる太陽電池架台装置を得ることができる。
【発明を実施するための最良の形態】
【００１３】
実施の形態１．
図１はこの発明にかかる太陽電池架台装置の正面図である。図２はこの発明にかかる太陽電池架台装置の側面図である。図１及び図２において、直列または並列に接続された複数の太陽電池パネル６０が配列されて架台本体４０に取付けられ、太陽電池アレイ７０が構成されている。太陽電池アレイ架台装置（太陽電池架台装置）５０は、太陽電池アレイ７０を建造物に固定するための骨組みを構成する架台本体４０と、この架台本体４０の建造物の太陽電池設置場所から支持する複数の脚部１０とから構成されている。
【００１４】
架台本体４０は、太陽電池アレイ７０を取付ける主材４１と、この主材４１を支持する複数の脚支柱を有している。この脚支柱は、主材４１の一端を支持する低脚支柱４２と、主材４１の他端を支持する高脚支柱４４と、主材４１の中央を支持する中脚支柱４３とから成り、太陽電池アレイ７０を傾斜して支持する。高脚支柱４４と中脚支柱４３には、補強のためにそれぞれ側面支持斜材４６，４７が設けられている。そして、低脚支柱４２、中脚支柱４３、及び高脚支柱４４の下端に、それぞれ、脚部１０が設けられている。
【００１５】
図３は脚部１０の詳細を示す正面図である。図４は図３のＪ−Ｊ線に沿う矢視断面図である。図５は下部支持部材の正面図である。図６は中間支持部材の正面図である。図７は上部支持部材の正面図である。図３乃至図７において、脚部１０は、下部支持部材１７、中間支持部材１８、及び上部支持部材１９の３つの部材に分割されている。下部支持部材１７は、断面Ｌ字形を成すＬ字部材の片側である基部１７ｃに、矩形平板状の矩形板１７ｅが溶接或いは図示しない締結ボルトにより固定されて成る。そして、Ｌ字部材の矩形板１７ｅから垂直方向に延びる立設部１７ｄには、２つの丸穴１７ａ，１７ｂが縦方向に並んで穿孔されている。
【００１６】
中間支持部材１８は、例えば矩形平板材料が３つに折り曲げられて作製され、中央主面部１８ｅと２つの側面部１８ｆとから成る断面コ字形の長尺な形状を成している。中央主面部１８ｅの下部に、丸穴１８ｃと円弧穴１８ｄとが縦方向に並んで穿孔されている。丸穴１８ｃの上方に円弧穴１８ｄが形成され、各々下部支持部材１７の２つの丸穴１７ａ，１７ｂに対応した位置に形成されている。そして、円弧穴１８ｄは、丸穴１８ｃを中心とする仮想円に沿って所定の角度分の長さを有する円弧状の長穴とされている。
【００１７】
一方、中央主面部１８ｅの上部には、丸穴（第１の締結穴）１８ａと円弧穴（第２の締結穴）１８ｂとが縦方向に並んで穿孔されている。この丸穴１８ａと円弧穴１８ｂは、後述の上部支持部材１９の２つの長穴１９ａ，１９ｂに対応した位置に形成されている。丸穴１８ａの上方に円弧穴１８ｂが形成され、円弧穴１８ｂは、丸穴１８ａを中心とする仮想円に沿って所定の角度分の長さを有する円弧状の長穴とされている。
【００１８】
上部支持部材１９は、下部支持部材１７と同じように、断面Ｌ字形を成すＬ字部材の片側である基部１９ｃに、矩形平板状の矩形板１９ｅが溶接或いは図示しない締結ボルトにより固定されて成る。Ｌ字部材の矩形板１９ｅから垂下する立設部１９ｄには、各々縦方向に延びる２つの長穴（第３の締結穴）１９ａ及び長穴（第４の締結穴）１９ｂが、穴軸線を同一にして縦方向に並んで穿孔されている。
【００１９】
下部支持部材１７と中間支持部材１８とは、立設部１７ｄと中央主面部１８ｅとを対向させて、丸穴１７ａと丸穴１８ｃとを貫通する締結具（ボルト、ナット）３１、及び丸穴１７ｂと円弧穴１８ｄとを貫通する締結具３２により締結されている。また、中間支持部材１８と上部支持部材１９とは、立設部１９ｄと中央主面部１８ｅとを対向させて、丸穴１８ａと長穴１９ａとを貫通する締結具３３、及び円弧穴１８ｂと長穴１９ｂとを貫通する締結具３４により締結されている。
【００２０】
図８は中間支持部材１８が下部支持部材１７に対して角度を変えて締結される様子を示す正面図である。図９は上部支持部材１９が中間支持部材１８に対して角度を変えて締結される様子を示す正面図である。図１０は上部支持部材１９が中間支持部材１８に対して高さを変えて締結される様子を示す正面図である。本実施の形態においては、締結具３２が貫通する穴が円弧穴１８ｄとされ、中間支持部材１８は下部支持部材１７に対して角度を変えて締結可能とされている。また、締結具３４が貫通する穴が円弧穴１８ｂとされ、上部支持部材１９は中間支持部材１８に対して角度を変えて締結可能とされている。さらに、締結具３３，３４が貫通する穴が長穴１９ａ，１９ｂとされることにより、上部支持部材１９が中間支持部材１８に対して高さを変えて締結可能とされている。
【００２１】
なお、本実施の形態においては、円弧穴１８ｄが中間支持部材１８に形成され、丸穴１７ｂが下部支持部材１７に形成されているが、この関係は逆でもよい。同じく、円弧穴１８ｂが中間支持部材１８に形成され、長穴１９ｂが上部支持部材１９に形成されているが、この関係は逆でもよい。また、円弧穴１８ｄと円弧穴１８ｂとは、同じ方向へ回動可能とするものなので、いずれか一方は省略されてもよい。すなわち、本実施の形態においては、例えば、円弧穴１８ｄが省略されて、中間支持部材１８と下部支持部材１７とが一つの剛体或いは一体に作製されてもよい。
【００２２】
この場合、中間支持部材１８と下部支持部材１７との一体とされたものが下部支持部材と考えて良い。つまり、本実施の形態の脚部１０は、中間支持部材１８と下部支持部材１７とが一体とされた下部支持部材と、これに締結される上部支持部材１９とで構成されても概略同様な機能を持つことができる。この場合、回動中心となる第１の締結具３３が貫通する第１の締結穴１８ａ、この第１の締結穴１８ａを中心とする円弧方向に延びて第２の締結具３４が貫通する第２の締結穴１８ｂ、第１の締結具３３及び第２の締結具３４が貫通する長穴である第３の締結穴１９ａ及び第４の締結穴１９ｂという構成となる。なお、本実施の形態の脚部１０において、矩形板１７ｅ，１９ｅは、必ず必要なものではなく、下部支持部材１７と上部支持部材１９とは、Ｌ字部材のみにより構成されてもよい。また、中間支持部材１８は、断面コ字形に限らず、断面Ｌ字形や板状であってもよい。
【００２３】
図１１は本実施の形態の太陽電池アレイ架台装置５０の活用例を示す正面図である。図１２は本実施の形態の太陽電池アレイ架台装置５０の活用例を示す側面図である。図１３は図１１の中央部の太陽電池アレイ架台装置５０を拡大して示す拡大図である。図１１乃至図１３において、複数の太陽電池アレイ架台装置５０が、かまぼこ形の湾曲面Ｐを有する設置場所に設置されている。複数の太陽電池アレイ架台装置５０は、かまぼこ形の軸線方向に受光面を向けて、縦横に整列して設置されている。図１２に示すように、太陽電池アレイ架台装置５０は、受光面を湾曲面Ｐに対して角度Ａだけ傾けて設置されている。太陽電池アレイ架台装置５０は、図１１に示すように、湾曲面Ｐの湾曲方向に、つまり、かまぼこ形の軸線に直交する方向に角度Ｇのピッチで等間隔に設置されている。そのため、図１３に示すように、太陽電池アレイ架台装置５０を水平に設置するためには、左右の脚部１０を角度Ｅだけ傾けて、中央の脚部１０よりも所定量長さ（高さ）を大きくしなければならない（相対的に中央の脚部１０の長さ（高さ）を小さくしてもよい）。
【００２４】
本実施の形態の脚部１０は、上記のように角度が変更可能であるとともに長さ（高さ）が変更可能であるので、このような場合にも良好に対応することができる。このようにして調整された各々の脚部１０は、湾曲面Ｐに平行に当接させた矩形板１７ｅを図示しないアンカーボルトにより固定される。なお、脚部１０を長さ方向軸回りに所定角度回転させることで、任意の方向に傾く設置場所に対応することができる。
【００２５】
図１４は本実施の形態の太陽電池アレイ架台装置５０の他の活用例を示す側面図である。図１５は図１４の中央部の太陽電池アレイ架台装置５０を拡大して示す拡大図である。図１４及び図１５において、複数の太陽電池アレイ架台装置５０が、かまぼこ形の湾曲面Ｑを有する設置場所に設置されている。複数の太陽電池アレイ架台装置５０は、かまぼこ形の湾曲方向に受光面を向けて、縦横に整列して設置されている。太陽電池アレイ架台装置５０は、図１４に示すように、湾曲面Ｑの湾曲方向に、つまり、かまぼこ形の軸線に直交する方向に角度Ｆのピッチで等間隔に設置されている。そのため、３つの太陽電池アレイ架台装置５０がそれぞれ傾斜角度Ａを保つためには、図１４の左側の太陽電池アレイ架台装置５０は、角度Ｂ（角度Ａから角度Ｆの差）だけ傾けて設置されなければならない。一方、図１４の右側の太陽電池アレイ架台装置５０は、角度Ｃ（角度Ａと角度Ｆの和）だけ傾けて設置されなければならない。また、３つの太陽電池アレイ架台装置５０においては、それぞれ、図１５に示すように、左右の脚部１０を角度Ｄだけ傾けるとともに、且つ中央の脚部１０は所定量長さ（高さ）を小さくしなければならない（相対的に左右の脚部１０の長さ（高さ）を大きくしてもよい）。このように、脚部を３個以上有するアレイ架台装置が、所定の曲面に対応するためには、角度が変更可能であるとともに長さ（高さ）が変更可能である必要がある。本実施の形態の脚部１０は、上記のように、角度を変更可能であるとともに長さ（高さ）が変更可能であるので、このような場合にも良好に対応することができる。
【００２６】
図１６は本実施の形態の太陽電池アレイ架台装置５０のさらに他の活用例を示す側面図である。図１６において、太陽電池アレイ架台装置５０は、受光面が向く方向に所定の角度傾く傾斜面Ｒに設置されている。そのため、傾斜角度を保つためには、図１６の左側の脚部１０は所定の長さ（高さ）だけ小さくし、右側の脚部１０は所定の長さ（高さ）だけ大きくし、さらに３つの脚部１０は、それぞれ傾斜方向に所定の角度傾けられなければならない。本実施の形態の脚部１０は、上記のように、角度を変更可能であるとともに長さ（高さ）が変更可能であるので、このような場合にも良好に対応することができる。
【００２７】
実施の形態２．
図１７はこの発明にかかる実施の形態２の太陽電池架台装置の脚部正面図である。図１８は図１７のＫ−Ｋ線に沿う矢視断面図である。図１９は下部支持部材の側面図である。図２０は下部支持部材の正面図である。図２１は中間支持部材の正面図である。図２２は中間支持部材の縦断面図である。図２３は上部支持部材の正面図である。図２４は上部支持部材の側面図である。
【００２８】
本実施の形態においては、脚部２０は、下部支持部材２７、中間支持部材２８、及び上部支持部材２９の３つの部材に分割されている。図１７乃至図２０において、下部支持部材２７は、断面コ字形を成すコ字部材の中央基部部２７ｃの裏面に、矩形平板状の矩形板２７ｅが溶接或いは図示しない締結ボルトにより固定されて成る。コ字部材の矩形板２７ｅから垂直に延びる対向する２枚の立設部２７ｄには、２つの丸穴（第３の締結穴）２７ａ，丸穴（第４の締結穴）２７ｂが縦方向に並んで穿孔されている。
【００２９】
中間支持部材２８は、例えば矩形平板材料が３つに折り曲げられて作製され、中央主面部２８ｅと２つの側面部２８ｆとから成る断面コ字形の長尺な形状を成している。図２２に示すように、２つの対向する側面部２８ｆの下部に、それぞれ丸穴（第１の締結穴）２８ｃと円弧穴（第２の締結穴）２８ｄとが縦方向に並んで穿孔されている。丸穴２８ｃの上方に円弧穴２８ｄが形成され、各々下部支持部材２７の２つの丸穴２７ａ，２７ｂに対応した位置に形成されている。そして、円弧穴２８ｄは、丸穴２８ｃを中心とする仮想円に沿って所定の角度分の長さを有する円弧状の長穴とされている。
【００３０】
一方、中央主面部２８ｅの上部には、図２１に示すように、丸穴（第５の締結穴）２８ａと円弧穴（第６の締結穴）２８ｂとが縦方向に並んで穿孔されている。この丸穴２８ａと円弧穴２８ｂは、後述の上部支持部材２９の２つの長穴２９ａ，２９ｂに対応した位置に形成されている。丸穴２８ａの上方に円弧穴２８ｂが形成され、円弧穴２８ｂは、丸穴２８ａを中心とする仮想円に沿って所定の角度分の長さだけ延びる円弧状の長穴とされている。
【００３１】
上部支持部材２９は、断面Ｌ字形を成すＬ字部材の上部片側を構成する基部２９ｃの上面に、矩形平板状の矩形板２９ｅが溶接或いは図示しない締結ボルトにより固定されて成る。Ｌ字部材の矩形板２９ｅから垂直に延びる立設部２９ｄには、各々縦方向に延びる２つの長穴（第７の締結穴）２９ａ及び長穴（第８の締結穴）２９ｂが、穴軸線を同一にして縦方向に並んで穿孔されている。
【００３２】
下部支持部材２７と中間支持部材２８とは、立設部２７ｄと側面部２８ｆとを対向させて、丸穴２７ａと丸穴２８ｃとを貫通する締結具（ボルト、ナット）３１、及び丸穴２７ｂと円弧穴２８ｄとを貫通する締結具３２により締結されている。また、中間支持部材２８と上部支持部材２９とは、立設部２９ｄと中央主面部２８ｅとを対向させて、丸穴２８ａと長穴２９ａとを貫通する締結具３３、及び円弧穴２８ｂと長穴２９ｂとを貫通する締結具３４により締結されている。
【００３３】
図２５は中間支持部材２８が下部支持部材２７に対して、第１の仮想面内にて、角度を変えて締結される様子を示す縦断面図である。図２６は上部支持部材２９が中間支持部材２８に対して、第１の仮想面と直交する第２の仮想面内にて、角度を変えて締結される様子を示す正面図である。本実施の形態においては、締結具３２が貫通する穴が円弧穴２８ｄとされ、中間支持部材２８は、第１の仮想面内にて、下部支持部材２７に対して角度を変えて締結可能とされている。また、締結具３４が貫通する穴が円弧穴２８ｂとされ、上部支持部材２９は、第１の仮想面と直交する第２の仮想面内にて、中間支持部材２８に対して角度を変えて締結可能とされている。さらに、締結具３３，３４が貫通する穴が長穴２９ａ，２９ｂとされることにより、上部支持部材２９が中間支持部材２８に対して高さを変えて締結可能とされている。
【００３４】
このように、本実施の形態の脚部２０においては、直交する２つの仮想面内にて、相互に角度を変えて締結可能とされているので、２つの角度可変量を調整することにより、軸回りの全ての方向に傾かせることが可能となる。そして、さらに高さを変えて締結可能とされている。そのため、複雑に変化する曲面を有する設置場所においても、良好に対応することができる。
【産業上の利用可能性】
【００３５】
この発明は、複数の脚部を有し太陽電池パネルを設置場所から支持する太陽電池架台装置に好適なものであり、特に曲面や傾斜面へ太陽電池パネルを設置する際に用いられる太陽電池架台装置として最適である。
【図面の簡単な説明】
【００３６】
【図１】この発明にかかる太陽電池架台装置の正面図である。
【図２】この発明にかかる太陽電池架台装置の側面図である。
【図３】実施の形態１の脚部の詳細を示す正面図である。
【図４】図３のＪ−Ｊ線に沿う矢視断面図である。
【図５】実施の形態１の下部支持部材の正面図である。
【図６】実施の形態１の中間支持部材の正面図である。
【図７】実施の形態１の上部支持部材の正面図である。
【図８】中間支持部材が下部支持部材に対して角度を変えて締結される様子を示す正面図である。
【図９】上部支持部材が中間支持部材に対して角度を変えて締結される様子を示す正面図である。
【図１０】上部支持部材が中間支持部材に対して高さを変えて締結される様子を示す正面図である。
【図１１】実施の形態１の太陽電池アレイ架台装置の活用例を示す正面図である。
【図１２】実施の形態１の太陽電池アレイ架台装置の活用例を示す側面図である。
【図１３】図１１の中央部の太陽電池アレイ架台装置を拡大して示す拡大図である。
【図１４】実施の形態１の太陽電池アレイ架台装置の他の活用例を示す側面図である。
【図１５】図１４の中央部の太陽電池アレイ架台装置を拡大して示す拡大図である。
【図１６】実施の形態１の太陽電池アレイ架台装置のさらに他の活用例を示す側面図である。
【図１７】この発明にかかる実施の形態２の太陽電池架台装置の脚部正面図である。
【図１８】図１７のＫ−Ｋ線に沿う矢視断面図である。
【図１９】実施の形態２は下部支持部材の側面図である。
【図２０】実施の形態２の下部支持部材の正面図である。
【図２１】実施の形態２の中間支持部材の正面図である。
【図２２】実施の形態２の中間支持部材の縦断面図である。
【図２３】実施の形態２の上部支持部材の正面図である。
【図２４】実施の形態２の上部支持部材の側面図である。
【図２５】中間支持部材が下部支持部材に対して、第１の仮想面内にて、角度を変えて締結される様子を示す縦断面図である。
【図２６】上部支持部材が中間支持部材に対して、第１の仮想面と直交する第２の仮想面内にて、角度を変えて締結される様子を示す正面図である。
【符号の説明】
【００３７】
１０  脚部
１７  下部支持部材
１７ａ  丸穴
１７ｂ  丸穴
１７ｃ  基部
１７ｄ  立設部
１８  中間支持部材
１８ａ  丸穴（第１の締結穴）
１８ｂ  円弧穴（第２の締結穴）
１８ｃ  丸穴
１８ｄ  円弧穴
１８ｅ  中央主面部
１８ｆ  側面部
１９  上部支持部材
１９ａ  長穴（第３の締結穴）
１９ｂ  長穴（第４の締結穴）
１９ｃ  基部
１９ｄ  立設部
２０  脚部
２７  下部支持部材
２７ａ  丸穴（第３の締結穴）
２７ｂ  丸穴（第４の締結穴）
２７ｃ  中央基部
２７ｄ  立設部
２８  中間支持部材
２８ａ  丸穴（第５の締結穴）
２８ｂ  円弧穴（第６の締結穴）
２８ｃ  丸穴（第１の締結穴）
２８ｄ  円弧穴（第２の締結穴）
２８ｅ  中央主面部
２８ｆ  側面部
２９  上部支持部材
２９ａ  長穴（第７の締結穴）
２９ｂ  長穴（第８の締結穴）
２９ｃ  基部
２９ｄ  立設部
３１，３２，３３，３４  締結具
４０  架台本体
４１  主材
４２  低脚支柱
４３  中脚支柱
４４  高脚支柱
４６，４７  側面支持斜材
５０  太陽電池アレイ架台装置（太陽電池架台装置）
６０  太陽電池パネル
７０  太陽電池アレイ
【図１】
0005451989.tif 000002
【図２】
0005451989.tif 000003
【図３】
0005451989.tif 000004
【図４】
0005451989.tif 000005
【図５】
0005451989.tif 000006
【図６】
0005451989.tif 000007
【図７】
0005451989.tif 000008
【図８】
0005451989.tif 000009
【図９】
0005451989.tif 000010
【図１０】
0005451989.tif 000011
【図１１】
0005451989.tif 000012
【図１２】
0005451989.tif 000013
【図１３】
0005451989.tif 000014
【図１４】
0005451989.tif 000015
【図１５】
0005451989.tif 000016
【図１６】
0005451989.tif 000017
【図１７】
0005451989.tif 000018
【図１８】
0005451989.tif 000019
【図１９】
0005451989.tif 000020
【図２０】
0005451989.tif 000021
【図２１】
0005451989.tif 000022
【図２２】
0005451989.tif 000023
【図２３】
0005451989.tif 000024
【図２４】
0005451989.tif 000025
【図２５】
0005451989.tif 000026
【図２６】
0005451989.tif 000027